(57)【要約】【課題】ショーケースなどの商品収納ケースに商品吊下げ用フックを取り付けるに際し、商品吊下げ用フックをケースから完全に分離して離れた場所に保管せずにすみ、ケース外の場所に別途格別に保管場所を確保する必要がなく、使用時にはワンタッチ的にケースに取り付けることができ、取り付け作業が簡単であり、また、商品吊下げ用フックが取り付けられるケースの側にフックに完全に合致する取付部を形成する必要もなく、どのようなケースにも取り付け可能な商品収納ケースを得る。【解決手段】ショーケースなどの商品収納ケースの天板４に商品吊下げ用フック７の収納凹部８を設け、商品吊下げ用フック７の基端部を前記収納凹部８内に掛止して商品吊下げ用フック７を前記収納凹部８に引出し自在に収納し、収納凹部８を開閉蓋１０で覆い、この開閉蓋１０に商品吊下げ用フック７が挿通する切欠きを設けた。【選択図】        図１
2005143517.tif 000002
【特許請求の範囲】
【請求項１】
商品収納ケースの天板に商品吊下げ用フックを収納する収納凹部を設け、前記商品吊下げ用フックの基端部を前記収納凹部内に掛止して商品吊下げ用フックを前記収納凹部に引出し自在に収納し、収納凹部を開閉蓋で覆い、この蓋に商品吊下げ用フックが挿通する切欠きを設けたことを特徴とする商品収納ケース。
【請求項２】
前記収納凹部は天板の端部に形成され、商品吊下げ用フックはその基端部近傍をＬ字形に形成して、このＬ字形の部分が天板から側板にそって吊下げられることを特徴とする請求項１記載の商品収納ケース。
【請求項３】
前記商品吊下げ用フックの基端部はＵ字形の掛止部に形成され、収納凹部内に設けたリング状の掛止金具に掛止方向自在に係止されることを特徴とする請求項１または請求項２に記載の商品収納ケース。
【発明の詳細な説明】
【技術分野】
【０００１】
この発明は、スーパーマーケットなどの店舗に設置するショーケースなどの商品収納ケースに関するものである。
【背景技術】
【０００２】
かかる商品収納ケースでは、当該ケースに設けた陳列棚に載置されて収納される商品とは別に他の商品をケースから吊下げるようにして陳列することがある（例えば特許文献１参照）。これは商品の形状が吊下げるようにした方が陳列効果がある場合や、陳列棚に収納されている商品に関連する商品を販売促進のために例えばケースの側面に吊下げるようにする場合などである。
【０００３】
ちなみに、前記特許文献１に記載の発明は、ベース上に立設された左右の支柱に掛け渡す角筒状の横バーの後側面に凹溝部を設け、一方、所要長さの棒材の後端部を折曲して前記横バーの後側面に当接させる垂直基部を設けるとともに、該垂直基部の下端に扁平状の嵌合片部を設けて商品吊下げ用フックを形成し、前記横バーの凹溝部に商品吊下げ用フックの嵌合片部を嵌合することにより商品吊下げ用フックを横バーに取り付けるようにした陳列棚である。
【特許文献１】特開平１１−２９９６００号公報
【発明の開示】
【発明が解決しようとする課題】
【０００４】
前記特許文献１に記載の発明では、商品吊下げ用フックを使用しない場合は、陳列棚から完全に分離した状態で保管されることになり、保管スペースを必要とする。また、使用時には陳列棚の横バーの凹溝部にフックの嵌合片部をその都度嵌合させる作業を必要とし、取り付けに手間と時間を要する。さらに、商品吊下げ用フックは前記のように不使用時には陳列棚とは分離して保管されるため、保管中に紛失するおそれもあり、かかる不都合を解消するには陳列棚の近辺に保管することも考えられるが、このようにしてはフックが単独で商品の近くに露出することになり体裁がよくない。
【０００５】
また、商品吊下げ用フックがガタつくことなく横バーに取り付けられるためには、横バーの凹溝部と商品吊下げ用フックの嵌合片部との形状を合致させる必要もあり、商品吊下げ用フックが取り付けられる陳列棚が限定される。
【０００６】
この発明の目的は前記従来例の不都合を解消するものとして、ショーケースなどの商品収納ケースに商品吊下げ用フックを取り付けるに際し、商品吊下げ用フックをケースから完全に分離して離れた場所に保管せずにすみ、ケース外の場所に別途格別に保管場所を確保する必要がなく、使用時にはワンタッチ的にケースに取り付けることができ、取付作業が簡単であり、また、商品吊下げ用フックが取り付けられるケースの側にフックに完全に合致する取付部を形成する必要もなく、どのようなケースにも取り付け可能な商品収納ケースを提供することにある。
【課題を解決するための手段】
【０００７】
この発明は前記目的を達成するものとして、請求項１記載の発明は、ショーケースなどの商品収納ケースの天板に商品吊下げ用フックの収納凹部を設け、商品吊下げ用フックの基端部を前記収納凹部内に掛止して商品吊下げ用フックを前記収納凹部に引出し自在に収納し、収納凹部を開閉蓋で覆い、この蓋に商品吊下げ用フックが挿通する切欠きを設けたことを要旨とする。
【発明の効果】
【０００８】
この発明は、ショーケースなどの商品収納ケースの天板に商品吊下げ用フックの収納凹部を形成したから、不使用時にはこの収納凹部に商品吊下げ用フックを収納しておけば、商品収納ケースから完全に分離した状態で離れた場所に保管収納されることがなく、保管スペースを別途格別に確保する必要がなく、また、保管中にフックが紛失するおそれもない。
【０００９】
さらに、商品吊下げ用フックを使用する際は、天板に設けた蓋を開いてフックを引き出し、ケースの側面に吊り下ろすだけでよいから、フックの取付作業ワンタッチ的に行えて簡単である。そして、フックの使用時には蓋を閉じれば、天板に設けてあるフックの収納凹部は閉鎖されるから、見栄えもよいものである。
【発明を実施するための最良の形態】
【００１０】
以下、図面についてこの発明の実施形態を詳細に説明する。図１はこの発明の商品収納ケースの要部である商品吊下げ用フックおよびその収納部の縦断側面図で、この発明は例えば図６に示す冷凍冷蔵オープンショーケースに実施されるものである。
【００１１】
この冷凍冷蔵ショーケースの全体構成から説明すると、前面に商品出し入れ用の開口２を形成したショーケース本体１を断熱壁で構成し、内部の商品収納庫６に陳列棚３を複数段配設したもので、図中４は天板、５は透明な側板を示す。
【００１２】
図１中、７はこの発明の要部である商品吊下げ用フックであり、先端をＵ字形に折り曲げて商品を吊下げるための吊下げ部７ａを形成し、他端は小さくＵ字形に折り曲げて後述の収納凹部への掛止フック７ｂに形成し、途中はＬ字形に折り曲げて天板４の端部から側部への係止部７ｃに形成した。
【００１３】
一方、天板４の側部よりの端部に前記商品吊下げ用フック７の収納凹部８を形成し、ここに掛止フック７ｂが掛止するリング状の掛止金具９を配設する。
【００１４】
図示の例では商品吊下げ用フック７および掛止金具９は３個を前後方向に適宜間隔で並列させ、掛止フック７ｂを掛止金具９に掛止方向自在に引っ掛けた。
【００１５】
図中１０は収納凹部８の上面開口を覆うヒンジ構造で開閉する開閉蓋を示し、ケースの側面側の端部には使用時に商品吊下げ用フック７の係止部７ｃが挿通する切欠き１１を設ける。また、この切欠き１１に並べてほぼ中央位置に開閉作業を行う際の指掛け用の切欠き１２を設ける。
【００１６】
次に使用法を説明する。商品吊下げ用フック７の不使用時には図３に示すように収納凹部８内に商品吊下げ用フック７が収納されている。この状態で、掛止フック７ｂは掛止金具９に対して掛止方向自在に取り付けられているから、商品吊下げ用フック７は自由な向きで収納されている。
【００１７】
そして、図２に示すように収納凹部８の上面の開口は開閉蓋１０で閉塞されているから、商品吊下げ用フック７が露出することなく体裁がよい。
【００１８】
商品吊下げ用フック７を使用するには、切欠き１２に指を掛けて開閉蓋１０を開き、図４に示すように商品吊下げ用フック７を収納凹部８から引き出し、ケースかの側板５の方向に吊下げる。
【００１９】
この状態で、商品吊下げ用フック７は係止部７ｃが天板４の縁から側方にかけて当接し、天板４に係止する。そして、図５に示すように開閉蓋１０を閉じれば、係止部７ｃが開閉蓋１０に設けた切欠き１１に挿入する。これにより、商品吊下げ用フック７は切欠き１１がストッパーとして機能することで移動を阻止された状態となり、天板４の側部の予定位置に係止され、ここに吊り下ろされる
【００２０】
よって、図６に示すようにショーケース内に陳列されている商品と関連のある別の商品などを収納したケースなどをこの商品吊下げ用フック７の吊下げ部７ａから吊下げる。この状態で、収納凹部８は開閉蓋１０で閉塞されているから、天板４は一見したところ一枚ものとなり、体裁のよいものとなる。
【００２１】
商品吊下げ用フック７の使用が不要になれば、前記と反対の作業で商品吊下げ用フック７を収納凹部８内に収納し、ここに保管する。この場合、商品吊下げ用フック７をショーケースから取り外す必要もなく、掛止フック７ｂを掛止金具９に対して回転させれば、収納凹部８内に簡単に収まる。
【産業上の利用可能性】
【００２２】
この発明はショーケースだけでなく、その他のディスプレイケース、収納ラックにも実施できるものである。
【図面の簡単な説明】
【００２３】
【図１】この発明の商品収納ケースの実施形態を示す要部である商品吊下げ用フックとその収納部の縦断側面である。
【図２】この発明の商品収納ケースの実施形態を示す要部である商品吊下げ用フックの収納部の蓋を閉じた状態の斜視図である。
【図３】この発明の商品収納ケースの実施形態を示す要部である商品吊下げ用フックの収納部の蓋を開いた状態の斜視図である。
【図４】この発明の商品収納ケースの実施形態を示す要部である商品吊下げ用フックを引き出した状態の斜視図である。
【図５】この発明の商品収納ケースの実施形態を示す要部である商品吊下げ用フックを引き出して蓋を閉じた状態の斜視図である。
【図６】冷凍冷蔵ショーケースに実施された状態の斜視図である。
【符号の説明】
【００２４】
１  ショーケース本体            ２  開口
３  陳列棚                      ４  天板
５  側板                        ６  商品収納庫
７  商品吊下げ用フック          ７ａ  吊下げ部
７ｂ  掛止フック                ７ｃ  係止部
８  収納凹部                    ９  掛止金具
１０  開閉蓋                    １１  切欠き
１２  切欠き  
【図１】
2005143517.tif 000003
【図２】
2005143517.tif 000004
【図３】
2005143517.tif 000005
【図４】
2005143517.tif 000006
【図５】
2005143517.tif 000007
【図６】
2005143517.tif 000008